(57)【要約】  開示された磁性流体クラッチは、固定部(1)と、複数の一次薄板(7)を備えた回転一次部(3)と、これと同軸状で回転する複数の二次薄板(20)を備えた二次部(4)とを含む。調整可能な磁場が磁性流体に働く。可能な限り大きなトルクを、最小空間で、そして最小低消費電力で伝達できるように、第1ヨーク(24a, 24b)を包み込む少なくとも一つの磁気コイルは、一次薄板(7, 7')の間、かつ、二次薄板(20, 20')の間にある。薄板に平行な面(32, 32')を有する第2ヨーク(27, 27')は、軸方向の両サイドの最も外側にある薄板と隣接している。
2007535644.tif 000002
【特許請求の範囲】
【請求項１】
固定部(1)と、複数の一次ディスク(7)を備えた回転一次部(2)と、これと同軸上で回転する複数の二次ディスク(20)を備えた二次部(3)とを含み、前記一次ディスク及び二次ディスクの間に磁性流体を含む空間(21)が形成され、該空間には、前記複数の一次ディスク及び二次ディスクが交互に共通の軸(9)方向に配置され、前記磁性流体に働く調整可能な磁場を持つ磁性流体クラッチであって、
a) 第1ヨーク(24a, 24b; 124a, 24b; 224a, 224b)を有する少なくとも一つの磁気のコイル(25; 25, 25'; 125a, 125b; 225a, 225b）は、該磁気コイルは磁性流体を含む前記空間(21)中に設けられ、複数の一次ディスク(7, 7'; 7, 7', 7")と複数の二次ディスク(20, 20'; 20, 20', 20")がその両側に配置され、
b) 前記第1ヨーク(24; 124; 224)はその両側に、前記複数の一次ディスク(7, 7'; 7, 7', 7")と複数の二次ディスク(20, 20'; 20, 20', 20")に平行な端面（31, 31'; 131a, 131b, 131a',  131b'; 231a)を有し、磁力線（28, 29; 128, 129; 228, 229）が前記端面に垂直に出入りし、かつ、互いに反対の磁極を持つ複数の部品(24a, 24b; 124b; 224a, 224b)を有し、低い磁気透過性ゾーン(24c; 124c; 224c)により互いに区分けされ、
c) 前記複数のディスクに平行な端面(32, 32'; 132, 132')を有する第2ヨーク(27, 27'; 127, 127'; 227, 227')は、軸方向に最も外側のディスクと隣接していることを特徴とする磁性流体クラッチ。
【請求項２】
複数の一次ディスク(7, 7'; 7, 7', 7"; 107, 107'; 47; 57; 77)と複数の二次ディスク(20, 20'; 20, 20', 20"; 120, 120'; 40; 50; 70)は、中程度な磁気透過性の材料からなるプレートであることを特徴とする請求項1記載の磁性流体クラッチ（図1−図7）。
【請求項３】
前記複数の一次ディスク(7, 7'; 7, 7', 7"; 107, 107'; 47; 57; 77)と二次ディスク(20, 20'; 20, 20', 20"; 120, 120'; 40; 50; 70)の材料は、磁気透過性が0.6テスラから1.2テスラの範囲であることを特徴とする請求項2記載の磁性流体クラッチ（図1−図7）。
【請求項４】
前記ヨーク(24; 124; 224; 27, 27'; 127, 127'; 227, 227')とその付属部は、シートメタル部からなる複数の部品から成る。もしくは、高い磁気透過性と低い電気伝導率の材料からなることを特徴とする請求項１記載の磁性流体クラッチ（図6）。
【請求項５】
少なくとも一つの磁気コイル(25, 25")を有した複数の第1ヨーク(24、24")は、磁性流体を含む前記空間(21)中に設けられ、各ヨークの両側に、複数の一次ディスク(7, 7', 7")と複数の二次ディスク(20, 20', 20")が配置されていることを特徴とする請求項1記載の磁性流体クラッチ。
【請求項６】
少なくとも一つの第１ヨーク(24; 124; 224)は、前記一次部(2)に回転可能に固定接続され、前記一次部内に、電力を供給するライン(26)が設けられていることを特徴とする請求項1記載の磁性流体クラッチ（図1、2、4）。
【請求項７】
前記第1ヨーク(24)は、巻き線軸が前記クラッチの回転軸(9)である磁気コイル(25)を含むことを特徴とする請求項1記載の磁性流体クラッチ。
【請求項８】
前記第1ヨーク(124)は、複数の巻き線コア(124a, 124b)を含み、それぞれが前記クラッチの回転軸(9)に平行な巻き線軸を持つ磁気コイル(25a, 25b)を有し、前記複数の巻き線コアは、外側の列(124a)と内側の列(125b)にそれぞれ周方向に均一に配置され、内側の列の前記磁気コイル(25b)は、外側の列の内側の前記磁気コイル(25a)とそれぞれ反対の磁極を持つ、ことを特徴とする請求項１記載の磁性流体クラッチ（図4）。
【請求項９】
前記第1ヨーク(224)は、複数の巻き線コア(224a, 224b)を含み、それぞれが前記クラッチの回転軸(9)に平行な巻き線軸を持つ磁気コイル(25a、25b)を有し、前記複数の巻き線コアは、周方向に一列(224a, 224b, 224a, など)に並んで均一に配置され、それぞれ交互に反対の磁極を持つことを特徴とする請求項2記載の磁性流体クラッチ（図7、8）。
【請求項１０】
磁性流体を含む空間(21)と連通している中空空間(36)は、一次部(3)内に形成され、バネ(39)により付勢されたピストン(38)によって塞がれていることを特徴とする請求項1記載の磁性流体クラッチ。
【請求項１１】
前記第1ヨーク(224)は、複数の巻き線コア(224a, 224b)を含み、それぞれが前記クラッチの回転軸(9)に平行な巻き線軸を持つ磁気コイル(225a, 225b)を有し、前記複数の巻き線コアは、周方向に一列(224a, 224b, 224a, など)に並んで均一に配置され、それぞれ交互に反対の磁極を持ち、一次ディスク(207)及び二次ディスク(220)は高い磁気透過性の材料から成るプレートであり、ほぼ径方向に設けられた複数の周方向にわたる低い磁気透過性ゾーン（71、78）が少なくとも部分的に通り抜けることを特徴とする請求項1記載の磁性流体クラッチ（図8）。
【請求項１２】
前記一次ディスク(207)及び、もしくは、二次ディスク(220)の低い磁気透過性ゾーンはスリットであり、該スリットは、好ましくは径方向とは異なり、その大きさが前記一次ディスク(207)及び二次ディスク(220)で異なることを特徴とする請求項11記載の磁性流体クラッチ（図8、9）。
【請求項１３】
前記一次ディスク(207)及び二次ディスク(220)の前記低い磁気透過性ゾーンは、連続した多くの穴からなることを特徴とする請求項11記載の磁性流体クラッチ。
【発明の詳細な説明】
【技術分野】
【０００１】
本発明は、固定部と、複数の一次ディスクを備えた回転一次部と、これと同軸上で回転する複数の二次ディスクを備えた二次部とを含み、一次部と二次部の間に空間が形成され、該空間は磁性流体を含み、複数の一次ディスク及び二次ディスクが交互に共通の軸方向に配置され、磁性流体に働く調整可能な磁場を持つ磁性流体クラッチに関する。
【背景技術】
【０００２】
磁性流体は、液体中、または、ガス（特定の空気）中に浮遊している磁化可能な粒子として理解される。複数の一次ディスクは回転可能に一次部に固定され、複数の二次ディスクは回転可能に二次部に固定される。動力車両の動力伝達経路において、電力消費と組み付けサイズは、重要であり、磁性流体クラッチの使用に際しては、電力消費と組み付けサイズとも最小にする必要がある。また、静止した位置からスリップ無しで始動ができるような広範囲のトルク伝達が可能である一方、ノイズ要因からの完全なる分離が可能であることも必要とされている。更に、電子シューブレーキ(Electronic Shoe Brake  :  ESB)や、アンチロックブレーキシステム(Antilock Brake System  : ABS)等の電子駆動ダイナミック制御と共に使用できるように速い反応も必要とされている。
【０００３】
この種のクラッチは、EP 0940 286 A2により知られている。ここでクラッチの磁場は、ハウジングに固定されるコイルによって発生する。エアギャップはクラッチのヨークおよび複数の回転部、特にディスクの間に存在しており、許容度を確保するために相当な幅を有している。したがって、磁力線は遮られ、磁性流体に作用している磁場は大きくに弱められている。更に、磁力線はヨークの磁気コイルの構造のために比較的長くなっており、有効な磁場、すなわち磁性流体に作用している部分が小さくなる。
【０００４】
このクラッチの両側にある2つのヨークは複数のディスクと平行な端面を形成していることがEP 0940 286 A2の図5及び図6により知られている。これらのヨークうち１つは磁気コイルを持っている。磁場は、複数のディスクを通り抜け、磁束方向においては外部領域に至り、その反対の内部領域にも至る。したがって、複数のディスクは、磁気短絡を防止するために周辺方向に延びた低い磁気透過性の複数のゾーンによってお互いに切り離されている。これらのゾーンは複雑で、かつ高価な冶金処置により製作される。しかし、実際にはそれらのゾーンは、ディスクの外周方向と遠心方向の強度を弱める複数のスリットであるため、自動車の動力伝達系路のクラッチのために望ましいことではない。
【発明の開示】
【発明が解決しようとする課題】
【０００５】
本発明の目的は、できるだけ大きなトルクを可能な限り小さな空間で、そして、できるだけ電力消費の少ないこの種のクラッチを提供することである。
【発明を解決する手段】
【０００６】
このことは、本発明の請求項1による特徴により成し遂げられる。磁性流体を含んでいる空間にある複数の通常のディスク間に、複数のディスクに平行な第1ヨークと少なくとも1つの磁気コイルの端面が、さらに厚いディスクを形成する。その厚いディスクは、二次ディスクとしての二次部と、一次ディスクとしての一次部のうちのどちらかに回転可能に固定されている。この二重の機能のために軸方向全体において、構造上のスペースがより少なくなり、磁力線は短くなり、クラッチに働く磁場は最大となる（大きくなる）。さらなる特徴は、磁力線の短縮化と均質化と磁力線が働く部分を最大化することである。
【０００７】
磁力線はほとんど同じ間隔で、複数のディスクと第1ヨークの外側に向かい、外側にある2つの第2ヨークで反転し、反対方向内側に延びていく。したがって磁束密度は、均一に分布する。
【０００８】
本発明の特に有利な更なる態様において、複数の一次ディスクおよび二次ディスクは、中程度の磁気透過性をもつ材料から成るプレートである（請求項2）。制限された磁束は、磁力線が反対方向へ延びる外側の部分と内側の部分との間の個々のディスク中に存在する。しかしながら、この磁束は、第1ディスク中で非常に弱い磁束しか短絡させず、磁束の大部分が1つおきのディスクに延びたりする個々のディスクの磁気飽和によって制限されている。磁束は、このように磁気透過性の最適な選択によって、そして、磁気飽和現象によって、一様に簡単に自然な方法で全てのディスクに分布する。これらのディスクは均質で、適切に選ばれた材料から成り、強度が減ずる開口部がないようにする事もできる。その磁気飽和が0.6から1.2テスラの間にあるように、これらのディスク材料は選択される。磁性流体の磁気飽和も、この範囲にある（請求項3）。
【０００９】
渦電流による損失の更なる低減化のために、複数のヨークおよびその付属物は、複数のシートメタル部から成るか、例えば、焼結された材料で高い磁気透過性および低い電気伝導率である材料から成る（請求項4）。渦電流はクラッチ解放のための磁場形成を遅延させるので、スイッチオフ時間が短くなる。
【００１０】
多くの一次及び二次ディスクが多数ある場合には、少なくとも一つの磁気コイルを有する複数の第1ヨーク、好ましくは2つの第1ヨークを、磁性流体を含んでいる空間に配置することが推奨される（請求項5）。複数の磁気コイルは直列に接続され、個々のコイルが同じ磁場の強さを有する単一のものより少ない幅なので、軸方向の大きさはほんの少し長くなるだけである。少なくとも1つの第1ヨークは、回転可能に一次部もしくは二次部のいずれかに固定接続されることができる。
【００１１】
上記少なくとも一つの第1ヨークが回転可能に一次部もしくは二次部の一方に固定接続される。しかしながら、少なくとも一つの第1ヨークが回転可能に一次部に固定接続され、ハウジングに固定された接触子のラインが磁気コイルへの電力供給のために一次部内に設けられるなら、組み立て、カップリングの取り付け及び電力供給は、より簡単である（請求項6）。
【００１２】
第1の有利で特に簡潔な実施例において、第1ヨークは、巻き線軸がクラッチの回転の軸である1つの磁気コイルを含む（請求項7）。
【００１３】
更に有利な実施例では、第1ヨークは、クラッチの回転軸に平行な軸を有する磁気コイルをそれぞれ持つ複数の巻き線コアを含み、それぞれ反対の磁極を持ち、内外それぞれの周方向の列に均一に配置される磁気コイルをも含む（請求項8）。
【００１４】
第3の有利な実施例において、第1ヨークはクラッチの回転軸に平行な軸を持つそれぞれ1つの磁気コイルを有する複数の巻き線コアを含み、磁気コイルはそれぞれの周方向に均一に分布しており、磁極が交互に反対になっている。
【００１５】
複数の一次ディスクと二次ディスクの低い磁気透過性ゾーンは、ほぼ径方向に延びる（請求項9）。本実施例において、2つの外側の第2ヨークの磁力線は径方向へはそらされず、軸周り方向へそらされる。
【００１６】
最後に、磁性流体を含む空間と通じ、バネ加重がかかったピストンによって閉じられた一次部の内部に形成された中空空間があり、そこではこの空間での熱膨張による圧力変動が補償されることが出来ることも本発明に含まれる（請求項10）。
【００１７】
更なる実施例において、第1ヨークは、それぞれが磁気コイルを持った複数の巻き線コアを含み、巻き線軸はクラッチの回転軸に並行であり、磁気コイルは周方向に均一に配置され、磁極が交互に反対になっている。そして、高い磁気透過性の物質からなるプレートである複数の一次ディスクと二次ディスクは少なくともその一部が、表面にある低い磁気透過性のゾーンに覆われており、そのゾーンはほぼ径方向を向いている（請求項11）。正負局反対に磁極化された磁気コイルが交互に配置されることにより、周方向に延びる低い磁気透過性のゾーンは磁気短絡を防いでいる。
【００１８】
直前の実施例のより有利な態様において、複数の一次ディスクおよび／もしくは、二次ディスクの低い磁気透過性のゾーンは、好ましくは半径方向と異なる複数のスリットである。そして、スリット形状は一次ディスクと二次ディスクで異なる（請求項12）。この複数のスリットの渦巻き形状（スリットの曲線形状）は、ラジアルポンプのブレードに相当する（対応する）。したがってポンピング作用は攪拌されていない磁性流体に働く。その形状が異なる場合、複数の隣接するディスクの異なる速度により摺動部（スライディング部）が発生し、トルク変動に対抗する。これらのスリットは、連続した穴、好ましくは円形穴、としてもよい（請求項13）。そうすると、ディスクの強度は低減しないが、ゾーンの磁気透過性はいくぶん大きくなる。
【００１９】
本発明の詳細な説明が添付図面を参照して行われる。
【発明を実施するための形態】
【００２０】
図1において、固定部1は、破線により示される。電力供給のための接触子2は、固定部1に固定されている。一次部3および二次部4は、固定部1の内部にあり、それぞれの一方が駆動側となり、他方は接触子2を介して電力供給によって決定される角度だけ駆動される。固定部1内にある一次部3と二次部4のベアリングは図示されていない。一次部3は、一次シャフト5から成っている。一次シャフト5のカップリング歯6のうち、6"のところで、一次ディスク7及び7'が回転可能に固定接続されている。リング状の複数のスペーサ8は一次ディスク7と7'の間に設けられている。一次部3及び二次部4に共通の回転の軸には、符号9が付されている。
【００２１】
二次部4は、一次部3を取り囲む形で係合している。二次部4は、ベアリングプレートとして作られたカバー面15、16をもつ円筒形ジャケット部14を含み、一次部3および二次部4間の芯取りを確実にするベアリング17、18をも含んでいる。二次部4の円筒形ジャケット部14は、内側に19を有する。19は19"のところで二次ディスク20に回転可能に固定接続される。二次部4と一次シャフト5との間にある空間21は、封止材13により封止されており、磁性流体を含む。磁性流体は、液体中、または、ガス（特に空気）中に浮遊している磁化可能な粒子から成る。一次部3、二次部4は、低い磁気透過性の材料からできている。
【００２２】
一次ディスク7及び二次ディスク20は、最大磁気透過性が0.6から1.2テスラの材料からできている。ここでは、最大磁気透過性は、材料の磁気飽和（または「飽和磁化」とも称される）に相当する。適切な材料としては、例えば、Vakuumschmelze社が市販している焼結鉄-ニッケルもしくは、ニッケル-鉄合金である商品名「Mumetall（登録商標）」または「Permenorm（登録商標）」がある。「Mumetall（登録商標）」は0.75〜0.8テスラで磁気飽和に至り、「Permenorm（登録商標）」は1.2テスラで磁気飽和に至る。比較のために、磁性流体クラッチでディスクとして通常使用されている鋼は、2テスラより大きい磁気飽和を有する。通常構造の鋼は約1.7テスラ近傍の磁気飽和をもつ。アルミニウムやプラスチックはほとんどゼロ磁気飽和であり、磁性流体は0.8〜1テスラの磁気飽和を持つ。
【００２３】
第1ヨーク24は、一次ディスク7、7'のほぼ中央にあり、かつ、二次ディスク20、20'のほぼ中央にある。第1ヨーク24は、外側部24aおよび内側部24bからなり、両方とも高い磁気透過性の材料で製作されており、両者間にあるゾーン24cは非常に低い磁気透過性（ほとんど0）を有する。第1ヨーク24は、回転可能にクラッチ歯部分6を介して一次部3に固定接続されている。磁気コイル25は、巻き線軸として回転軸9と共通の軸を持ち、2つのヨーク部24a、24bの内部にある。ここで、巻き線軸は、磁気コイルの巻き線シリンダの中心線である（と考える）。一次部3内部のライン26を介して接触子2から磁気コイル25への電力供給がなされる。
【００２４】
第1ヨーク24はその両側に、ディスク20、20'と平行である端面31を有する。2つのヨーク27（図の左側）及び27'（図の右側）は、二次部4のカバー表面15、16に設けられており、高い磁気透過性の材料であって、ベアリングプレート15、16内にある。磁気コイル25に流れる電流による磁場は、磁力線28、29により表される。外側の磁力線28は、回転軸9と平行な方向に延びて、第2ヨーク27内で内側に偏向して、磁力線29として反対方向に延びている。第2ヨーク中では磁気短絡は起こらない。磁力線23は、互いに等間隔で平行であり、ディスクパッケージ部に導入されて、第2ヨーク2及び27'で発散される。これらの磁力線はその進路の最大部分が、エアギャップの無い磁性流体及びディスク7及び20を含む空間21を通っている。短絡磁力線30は、各々のディスク及び磁性流体で満たされた中間スペースで磁力線から分岐している。短絡磁力線30に沿った磁束は、全てのディスクに一様に弱い短絡磁束が分布するように飽和によって制限される。
【００２５】
空間21は、磁性流体の温度変化による体積変化を補償するための補償空間36に径方向の穴35を経て接続されている。前記補償空間は、一次シャフト5内の片方が塞がった穴であり、開いた側がシリンダ37で終わる。シリンダ37内では、補償ピストン38には、座金40で支持されるバネ39が作用している。磁性流体が膨張すると、ピストン38はバネ39の力に抗して外側に動く。
【００２６】
図2の変形例がこれから異なるのは、第1ヨークが一つであったことに代わって、二つの第1ヨーク24'、24"となるだけである。左から右方向に見ると、第2ヨーク27に続いて複数の一次ディスク7および二次ディスク20があり、次に、第1ヨーク24、その次に複数の一次ディスク7'および二次ディスク20'がある。更にその次に第1ヨーク24"と、一次ディスク7"および二次ディスク20"があり、最後に右側の第2ヨーク27'がある。
【００２７】
図3は、図1の実施例を示しており、一次シャフトが省略され二次部の二次ディスクだけが分かるように示されている。磁力線28、29は、概念的に描かれており、磁力線が通り抜ける円錐は、磁力線の方向を示す矢印である。
【００２８】
図4の第2の実施例は第1ヨークと、第1ヨークの磁気コイルの部品配置が図1と異なる。そして、このことは、図5の軸測投影図において、より詳しく示されている。また、各参照番号は、図1の参照番号から100増える。第1ヨーク124は、周方向にわたって二列に分配される複数の巻き線コア124a（外側の列）及び124b（内側の列）を含み、その2つのコアの間にある低い磁気透過性ゾーン124cがある。各々の巻き線コアは個々にコイルが巻き付けられており、自身の磁気コイルに取り囲まれている。その磁気コイルの巻き線の軸は回転軸9と平行であり、巻き線コア124aおよび124b中にある。図6中のこの巻き線の軸は、チューブ状に描かれている磁力線128、129中に存在する。磁気コイル125a（外側の列）および125b（内側の列）は反対の磁極を持つことは重要である。図6において、複数の巻き線コアだけが示されており、その磁気コイルは省略されている。ここに示す磁気コイルを持つ全ての巻き線コアは、プラスチックによって覆われ、その結果低い磁気透過性ゾーン124cも自動的に生じる。
【００２９】
第2実施例の変形例（図6）は、第1ヨーク124の巻き線コア124a、124bが渦電流の発生を抑えるためにシートメタル・パッケージにより形成されるという点だけが図5から異なる。渦電流は、磁性流体クラッチを速く解放のために必要な磁場の素早い低下を妨げる。シートメタルで作られた複数の層は、磁力線が横切らないように形成され、磁力線が前記層面上を沿うように形成されている。
【００３０】
第3実施例（図7）は、直前の実施例と第1ヨーク224の構造が異なる。ここでは、各参照番号に200が加算される。第1ヨーク224は、周方向に均一に分布する一連の巻き線コア224a、224bを含む。これらは1列に並べられているだけであり、隣り合う巻き線コア224a、224bの巻き線は互いに反対の磁極を持つ。巻き線は、図示上の理由により再び省略されている。しかしながら、磁力線228、229から、巻き線コア224aは一方向通り抜けられ、近傍の巻き線コア224bは、磁力線229、228によって反対方向へ通り抜けられることが分かる。両側に設けられたヨーク227及び227'において反転が生じ、磁力線の偏向は径方向に起こるのではなく、周方向へ起こるという違いがある。自身を囲んでいる磁気コイルを有する個々の巻き線コア224a、224bは、低い磁気透過性のプラスチックによって覆われおり、複数の分離ゾーン224cも生じている。ここでディスク207、220は、中程度の磁気透過性の材料で作られており、制限された磁気短絡を許容する穴の無いディスクである。
【００３１】
第4の実施例（図8）では、第4実施例のディスクは、高い磁気透過性の材料からなり、例えば、図9に示すように作られているように、ほぼ径方向に配置された非常に低い磁気透過性のゾーン71を有することだけが図7から異なる。
【００３２】
最後に、図9の左側 (a) は、低い磁気透過性のゾーンとして径方向に延びる複数のスリット71を有する一次ディスク220を示しており、右側は、低い磁気透過性のゾーンとして径方向に延びる複数のスリット78を有する二次ディスク207を示している。これらのスリット71の渦巻き形状（スリットの曲線形状）は、ほぼ遠心ポンプのブレードに相当する。したがってポンピングの作用は、このように撹拌されていない磁性流体に対して働く。隣接したディスクがもつ異なる速度によって摺動部が発生し、トルク変動に対抗する。これらのスリットは、連続した穴、好ましくは円形穴に置換してもよい。このようにすれば、ディスクの強度はほとんど低減せず、ゾーンの磁気透過性を少し大きくできる。
【図面の簡単な説明】
【００３３】
【図１】本発明による第１実施例のクラッチの長手方向断面図である。
【図２】図1の変形例を示す。
【図３】二次部を除く、図1の軸測投影図である。
【図４】図1と同様の図であるが、第2の実施例を示す。
【図５】図4の軸測投影図である。
【図６】図5の変形例を示す。
【図７】図1と同様の図であるが、第3の実施例を示す。
【図８】図1と同様の図であるが、第4の実施例を示す。
【図９】図8の詳細を示す。
【図１】
2007535644.tif 000003
【図２】
2007535644.tif 000004
【図３】
2007535644.tif 000005
【図４】
2007535644.tif 000006
【図５】
2007535644.tif 000007
【図６】
2007535644.tif 000008
【図７】
2007535644.tif 000009
【図８】
2007535644.tif 000010
【図９】
2007535644.tif 000011
【手続補正書】
【提出日】平成18年12月26日(2006.12.26)
【手続補正１】
【補正対象書類名】特許請求の範囲
【補正対象項目名】請求項１
【補正方法】変更
【補正の内容】
【請求項１】
固定部(1)と、複数の一次ディスク(7)を備えた一次部(2)と、複数の二次ディスク(20)を備えた二次部(3)とを含み、前記一次部及び二次部の少なくとも一方が、他方に対して相対的に同軸上で回転し、前記一次ディスク及び二次ディスクの間に磁性流体を含む空間(21)が形成され、該空間には、前記複数の一次ディスク及び二次ディスクが交互に共通の軸(9)方向に配置され、前記磁性流体に働く調整可能な磁場を持つ磁性流体クラッチであって、
a) 第1ヨーク(24a, 24b; 124a, 24b; 224a, 224b)を有する少なくとも一つの磁気のコイル(25; 25, 25’; 125a, 125b; 225a, 225b）は、該磁気コイルは磁性流体を含む前記空間(21)中に設けられ、複数の一次ディスク(7, 7’; 7, 7’, 7”)と複数の二次ディスク(20, 20’; 20, 20’, 20”)がその両側に配置され、
b) 前記第1ヨーク(24; 124; 224)はその両側に、前記複数の一次ディスク(7, 7’; 7, 7’, 7”)と複数の二次ディスク(20, 20’; 20, 20’, 20”)に平行な端面（31, 31’; 131a, 131b, 131a’,  131b’; 231a)を有し、磁力線（28, 29; 128, 129; 228, 229）が前記端面に垂直に出入りし、かつ、互いに反対の磁極を持つ複数の部品(24a, 24b; 124b; 224a, 224b)を有し、低い磁気透過性ゾーン(24c; 124c; 224c)により互いに区分けされ、
c) 前記複数のディスクに平行な端面(32, 32’; 132, 132’)を有する第2ヨーク(27, 27’; 127, 127’; 227, 227’)は、軸方向に最も外側のディスクと隣接していることを特徴とする磁性流体クラッチ。
【手続補正２】
【補正対象書類名】明細書
【補正対象項目名】０００１
【補正方法】変更
【補正の内容】
【０００１】
本発明は、固定部と、複数の一次ディスクを備えた一次部と、複数の二次ディスクを備えた二次部とを含み、一次部及び二次部の少なくとも一方が、それぞれ他方に対して相対的に同軸状で回転し、一次部と二次部の間に空間が形成され、該空間は磁性流体を含み、複数の一次ディスク及び二次ディスクが交互に共通の軸方向に配置され、磁性流体に働く調整可能な磁場を持つ磁性流体クラッチに関する。
【国際調査報告】
2007535644.tif 000012
2007535644.tif 000013
2007535644.tif 000014
2007535644.tif 000015
2007535644.tif 000016
2007535644.tif 000017